(57)【要約】【課題】  団地やマンションなどの集合住宅に容易に運ぶことができる棺桶を提供する。【解決手段】  遺体の胸部は、棺桶を縦にした状態で搬送しても遺体が前に倒れないように、腋の下を通るベルト１１によって本体１に固定されている。また、棺桶を縦にした状態で搬送しても遺体の首から上の部分が下がらないように、顎当て部材１２が顎の部分を覆っており、本体１に取り付けられたフック１３にベルト１４によって固定されている。さらに、遺体の足首は、棺桶を縦にした状態で搬送しても脚部が揺れ動かないように、ベルト１６によって本体１に固定されている。棺桶の本体１には、棺桶を縦にした状態で搬送するためのキャスタ４が取り付けられている。【選択図】    図２
0003132792.tif 000002
【実用新案登録請求の範囲】
【請求項１】
遺体を収容する本体および当該本体に装着する蓋を有する棺桶であって、
収容された遺体の頭部を上にして直立した状態を維持するために、遺体の腋の下を通って胸部を前記本体の内部に係止する第１の係止手段と、
直立した状態の遺体の頭部が下方に傾斜するのを防止するために、収容された遺体の首から上の部分を前記本体の内部に係止する第２の係止手段と、
搬送の際に前記蓋を前記本体に一時的に係止する着脱可能な第３の係止手段と、
を備えたことを特徴とする棺桶。
【請求項２】
前記第２の係止手段は、前記収容された遺体の顎の下側を支えて、前記首から上の部分を前記本体の内部に係止することを特徴とする請求項１に記載の棺桶。
【考案の詳細な説明】
【技術分野】
【０００１】
本考案は、遺体を収容する棺桶に関するものである。
【背景技術】
【０００２】
遺体を収容する棺桶に関する提案の中には、運搬や保管を考慮したものがいくつか知られている（特許文献１ないし特許文献４参照）。これらの提案においては、棺桶自体の運搬や保管の利便性を図るために、組み立て式の構造が開示されている。
【特許文献１】特表平９−５０８０５１号公報
【特許文献２】特開平９−１７３３９５号公報
【特許文献３】特開２００１−３１５７５５号公報
【特許文献４】特開２００５−１０２９０６号公報
【考案の開示】
【考案が解決しようとする課題】
【０００３】
上記特許文献１ないし特許文献４の提案の棺桶は、組み立て式の構造を採ることによって、遺体を収容する前の棺桶の容積を小さくして、運搬や保管の利便性を図るものであった。しかしながら、遺体を収容した後の棺桶は、所定の幅、長さ、および深さを有する容積を小さくすることはできない。したがって、団地やマンションなどの集合住宅に遺体を収容した棺桶を運んで、故人の死を悼むことができないという問題があった。例えば、エレベータがないような階数が少ない集合住宅の場合には、階段を使って棺桶を運ぶことになるが、踊り場のところで棺桶を回転することが困難である。また、エレベータのある高層の集合住宅の場合には、エレベータの扉とそれに対面する壁などとの距離、あるいは、エレベータの奥行きが棺桶の長さより小さいと、エレベータに入れることができない。このため、棺桶の載せた車を集合住宅の回りをゆっくりと走るという極めてお粗末な葬儀が行われており、自宅で故人を偲びたいという遺族の願いを叶えることができなかった。
【０００４】
本考案は、上記従来の課題を解決するためのものであり、団地やマンションなどの集合住宅に容易に運ぶことが可能な棺桶を提供することを目的とする。
【課題を解決するための手段】
【０００５】
本考案の棺桶は、遺体を収容する本体および当該本体に装着する蓋を有する棺桶であって、
収容された遺体の頭部を上にして直立した状態を維持するために、遺体の腋の下を通って胸部を前記本体の内部に係止する第１の係止手段（実施形態においては、図２のベルト１１に相当する）と、直立した状態の遺体の頭部が下方に傾斜するのを防止するために、収容された遺体の首から上の部分を前記本体の内部に係止する第２の係止手段（実施形態においては、図２の顎当て部材１２、フック１３、ベルト１４に相当する）と、搬送の際に蓋を本体に一時的に係止する着脱可能な第３の係止手段（実施形態においては、図１のベルト７に相当する）と、を備えたことを特徴とする。
【０００６】
請求項１の棺桶において、第２の係止手段は、収容された遺体の顎の下側を支えて、首から上の部分を本体の内部に係止することを特徴とする。
【考案の効果】
【０００７】
本考案の棺桶によれば、団地やマンションなどの集合住宅に容易に運ぶことができるという効果が得られる。
【考案を実施するための最良の形態】
【０００８】
以下、本考案の棺桶およびその棺桶を搬送する棺桶搬送装置の実施形態について、図を参照して説明する。
図１は、実施形態における棺桶に遺体（図示せず）を収容した後の外観を示す斜視図である。図１において、棺桶の本体１には蓋２が装着され、本体１の側面には搬送するための取手３が設けられている。棺桶の蓋２の一部には、遺体の顔が見られるような窓２ａが設けられている。本体１の一方の側面には、キャスタ４を有する搬送部材５がネジ６によって固定されている。この搬送部材５は一時的に固定されており、ネジ６を外すことで簡単に本体１から取り外すことができる。本体１および蓋２には２本のベルト７が巻かれており、装着された蓋２が搬送中に外れないようになっている。なお、本体１および蓋２を固定するのは搬送中の一時的な場合であるので、ベルト７の代わりに丈夫なひもで結ぶだけでもよいし、他の方法で固定してもよい。
【０００９】
図２は、本体１内に遺体（２点鎖線）を収容した状態を示す平面図である。図２において、遺体は頭を右側、足を左側にして収容されている。遺体の胸部は、棺桶を縦にした状態で搬送しても遺体が前に倒れないように、腋の下を通るベルト１１によって本体１に固定されている。図には示していないが、ベルト１１の内側には、遺体を傷つけないように柔らかな布などが設けられている。また、棺桶を縦にした状態で搬送しても遺体の首から上の部分が下がらないように、顎当て部材１２が顎の部分を覆っており、本体１に取り付けられたフック１３にベルト１４によって固定されている。顎当て部材１２にも、遺体を傷つけないように柔らかな布などが設けられている。さらに、遺体の頭部の下には、適度な凹部を有する弾性部材１５が設けられ、棺桶を縦にした状態で搬送しても頭部が揺れ動かないようになっている。また、必ずしも必要ではないが、遺体の足首は、棺桶を縦にした状態で搬送しても脚部が揺れ動かないように、ベルト１６によって本体１に固定されている。ベルト１６にも、遺体を傷つけないように柔らかな布などが設けられている。さらに、遺体の足の下には、適度な凹部を有する弾性部材１７が設けられている。なお、ベルト１１、顎当て部材１２、およびベルト１６の材料としては、革や布のように容易に焼却できるものが望ましい。
【００１０】
図３は、図１に示した棺桶を縦にして搬送する状態を示す図である。図２の示したように、本体１内に収容された遺体は前に倒れないように固定されているので、ベルト７によって本体１と蓋２とを固定して、棺桶の両側の取手３を持って、床などの平面１０の上をキャスタ４の回転によって移動することができる。したがって、団地やマンションなどの集合住宅において、エレベータ、階段、廊下などで容易に棺桶を運ぶことができる。
【００１１】
なお、棺桶のキャスタ４は、集合住宅に搬送して故人の家に入った際には取り外され、その後に外に搬送する際に再び取り付けられる。ただし、キャスタの取り付けおよび取り外しの作業を省略するために、棺桶にキャスタを設けずに、台車等に乗せて棺桶を縦にした状態で搬送してもよい。この場合にも、図２に示したように、遺体を本体１に固定しているので、遺体が倒れたり、揺れ動く心配はない。
【００１２】
図４は、本考案の棺桶搬送装置の第１実施形態における棺桶搬送装置２１の構成を示す平面図であり、遺体（図示せず）の頭を右側に足を左側にして収容した本体１に、蓋２を装着した棺桶を載置した状態を示している。図４において、棺桶搬送装置２１の左側面２１ａには、キャスタ２２が取り付けられている。また、棺桶搬送装置２１の一方の枠２１ｂには、２つのフック２３が設けられている。そして、棺桶搬送装置２１の対応する他方の枠２１ｃには、２つのアーム２４が軸２５によって回動可能に設けられている。アーム２４は、回動させて対応するフック２３に係止することができる。また、棺桶搬送装置２１の上側面２１ｄおよび下側面２１ｅには、それぞれ２箇所に取手２６が設けられている。図４に示すように、棺桶を収納した後、２つのアーム２４を対応するフック２３に係止すると、キャスタ２２が下になるように、棺桶搬送装置２１を直立させることができる。
【００１３】
図５は、図４の状態から棺桶搬送装置２１を直立させて搬送する状態を示す側面図である。図５に示すように、棺桶の両側の取手２６を持って、床などの平面１０の上をキャスタ２２の回転によって移動することができる。したがって、団地やマンションなどの集合住宅において、エレベータ、階段、廊下などで容易に棺桶を運ぶことができる。
【００１４】
図６は、本考案の第２実施形態における棺桶搬送装置を直立させて搬送する状態を示す側面図である。図６において、図４および図５に示した第１実施形態の構成と同じものは同一の符号で示し、重複する説明は割愛する。図６の棺桶搬送装置２１は、キャスタの代わりに４個の電動車輪２７が取り付けられている。さらに、図には示していないが、棺桶搬送装置２１の内部には、電池から供給される電力によって搬送駆動を行うエンジンが設けられている。このエンジンを駆動又は停止するために、スイッチ２８が設けられている。したがって、棺桶が重たい場合でも、団地やマンションなどの集合住宅において、エレベータ、階段、廊下などで容易に棺桶を運ぶことができる。集合住宅内で搬送する時間は短い上、搬送速度も極めて遅いので、電池の形状も比較的小さなものでよい。
【００１５】
第１および第２実施形態の棺桶搬送装置２１は、図１ないし図３に示した搬送型の棺桶と比較すると、棺桶とは別に葬儀会社が用意する必要はあるものの、全ての葬儀に共通に使用できる上、棺桶にキャスタを取り付ける作業やそれを外す作業が必要でない。
【図面の簡単な説明】
【００１６】
【図１】本考案の実施形態における棺桶に遺体を収容した後の外観を示す斜視図。
【図２】図１の本体内に遺体を収容した状態を示す平面図。
【図３】図１に示した棺桶を縦にして搬送する状態を示す図。
【図４】本考案の第１実施形態における棺桶搬送装置の構成を示す平面図。
【図５】図４の状態から棺桶搬送装置を直立させて搬送する状態を示す側面図。
【図６】本考案の第２実施形態における棺桶搬送装置を直立させて搬送する状態を示す側面図。
【符号の説明】
【００１７】
１  棺桶の本体
２  棺桶の蓋
３、２６  取手
４、２２  キャスタ
７、１１、１４、１６  ベルト
１３  顎当て部材
２１  棺桶搬送装置
【図１】
0003132792.tif 000003
【図２】
0003132792.tif 000004
【図３】
0003132792.tif 000005
【図４】
0003132792.tif 000006
【図５】
0003132792.tif 000007
【図６】
0003132792.tif 000008